(57)【要約】【課題】  構造の簡素化および装置の小型化を図る。【解決手段】  媒体投入口１１と媒体返却口１３との間に、円板状の媒体Ｚが径方向に転動する媒体搬送通路１２が設けられている。媒体搬送通路１２の媒体投入口１１の近傍には第１の情報処理部１４が設けられ、媒体搬送通路１２の媒体返却口１３の近傍には第２の情報処理部１５が設けられられている。第１の情報処理部１４によって処理された媒体Ｚ１の金額情報が、第２の情報処理部１５に移行され、媒体Ｚ２に移し替えられる。金額情報が移し替えられ残額が「０」となった媒体Ｚ１は媒体搬送通路１２内に蓄積される。【選択図】  図１
2006092453.tif 000002
【特許請求の範囲】
【請求項１】
非接触型ＩＣ媒体を投入する媒体投入口と、この媒体投入口から投入された非接触型ＩＣ媒体が搬送される媒体搬送通路と、この媒体搬送通路の終端に設けられ非接触型ＩＣ媒体を返却する媒体返却口と、前記媒体搬送通路の前記媒体投入口近傍に設けられ非接触型ＩＣ媒体の情報を処理する第１の情報処理部と、前記媒体搬送通路の前記媒体返却口近傍に設けられ非接触型ＩＣ媒体の情報を処理する第２の情報処理部と、この第２の情報処理部に前記第１の情報処理部で処理した情報を移行させる情報移行手段とを備えたことを特徴とする非接触型ＩＣ媒体処理装置
【請求項２】
請求項１記載の非接触型ＩＣ媒体処理装置において、
前記非接触型ＩＣ媒体を円板状に形成し、前記媒体投入口から投入された非接触型ＩＣ媒体が自重によって径方向に転動する前記媒体搬送通路を設けたことを特徴とする非接触型ＩＣ媒体処理装置。
【請求項３】
請求項２記載の非接触型ＩＣ媒体処理装置において、
前記媒体搬送通路に非接触型ＩＣ媒体を径方向に蓄積する媒体蓄積部を設けたことを特徴とする非接触型ＩＣ媒体処理装置。
【請求項４】
請求項１記載の非接触型ＩＣ媒体処理装置において、
貨幣を識別する貨幣識別機を備え、この貨幣識別機によって識別された貨幣の額面情報を前記第２の情報処理部に入力する入金処理手段を設けたことを特徴とする非接触型ＩＣ媒体処理装置。
【発明の詳細な説明】
【技術分野】
【０００１】
本発明は、非接触型ＩＣ媒体の情報を読み書きして処理するとともに、非接触型ＩＣ媒体の発行処理を行う非接触型ＩＣ媒体処理装置に関するものである。
【背景技術】
【０００２】
従来の非接触型ＩＣ媒体装置は、円板状に形成され周面に４つの投入放出口を有し、時計・反時計方向に９０°ずつ回動する保持ディスクからなる搬送プール部と、保持ディスクの投入放出口との間でＩＣコインの補充およびＩＣコインを戻す第２のプール部とを備えたものもある。この装置においては、利用者がＩＣコインを投入放出口に投入すると、保持ディスクを時計方向へ９０°だけ回動させてＩＣコインを装置内に取込み、ＩＣコインの価値情報の書き換えを行った後に再び保持ディスクを反時計方向へ９０°だけ回動させ利用者に返却する。また、ＩＣコインを発行する場合には、第２のプール部から保持ディスクの投入放出口にＩＣコインを補充し、搬送プール部に使用済みのＩＣコインを回収する場合には、保持ディスクの投入放出口から第２のプール部にＩＣコインを戻す（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−３２７７４７号公報（段落「００３５」、「００３９」、「００４４」、図８、図１３、図１４）
【発明の開示】
【発明が解決しようとする課題】
【０００３】
上述した従来の非接触型ＩＣ媒体処理装置においては、ＩＣコインの不足分を補うために第２のプール部を備え、この第２のプール部から搬送プール部へＩＣコインを補充したり、余剰のＩＣコインを搬送プール部から第２のプール部へ戻したりするというように、搬送プール部と第２のプール部との間でＩＣコインの授受を行う構造としている。このように、搬送プール部と第２のプール部との間でＩＣコインが往復する構造であるために、構造が複雑になるというばかりではなく、搬送プール部と第２のプール部との間でＩＣコイン詰まりが発生するいう問題があった。また、搬送プール部へＩＣコインを補充するためには搬送ベルトとこれを駆動するモータを必要とするため、部品点数が増加するとともに構造が複雑となり、かつ装置が大型化するという問題もあった。
【０００４】
本発明は上記した従来の問題に鑑みなされたものであり、その目的とするところは、構造の簡素化および装置の小型化を図ることにある。
【課題を解決するための手段】
【０００５】
この目的を達成するために、請求項１に係る発明は、非接触型ＩＣ媒体を投入する媒体投入口と、この媒体投入口から投入された非接触型ＩＣ媒体が搬送される媒体搬送通路と、この媒体搬送通路の終端に設けられ非接触型ＩＣ媒体を返却する媒体返却口と、前記媒体搬送通路の前記媒体投入口近傍に設けられ非接触型ＩＣ媒体の情報を処理する第１の情報処理部と、前記媒体搬送通路の前記媒体返却口近傍に設けられ非接触型ＩＣ媒体の情報を処理する第２の情報処理部と、この第２の情報処理部に前記第１の情報処理部で処理した情報を移行させる情報移行手段とを備えたものである。
【０００６】
請求項２に係る発明は、請求項１に係る発明において、前記非接触型ＩＣ媒体を円板状に形成し、前記媒体投入口から投入された非接触型ＩＣ媒体が自重によって径方向に転動する前記媒体搬送通路を設けたものである。
【０００７】
請求項３に係る発明は、請求項２に係る発明において、前記媒体搬送通路に非接触型ＩＣ媒体を径方向に蓄積する媒体蓄積部を設けたものである。
【０００８】
請求項４に係る発明は、請求項１に係る発明において、貨幣を識別する貨幣識別機を備え、この貨幣識別機によって識別された貨幣の額面情報を前記第２の情報処理部に入力する入金処理手段を設けたものである。
【発明の効果】
【０００９】
本発明によれば、媒体投入口から投入された非接触型ＩＣ媒体の情報を、情報移行手段を介して予め媒体搬送通路内に蓄積された非接触型ＩＣ媒体に移し替えることができるため、媒体搬送通路内に蓄積された非接触型ＩＣ媒体を使用して非接触型ＩＣ媒体の発行と消費との両方を行うことができる。また、媒体投入口から投入され情報を移し替えられた非接触型ＩＣ媒体を媒体搬送通路内に蓄積することができるため、非接触型ＩＣ媒体を発行するための専用の蓄積通路を設ける必要がないから装置の小型化と簡素化を図ることができる。また、媒体投入口から投入された非接触型ＩＣ媒体を媒体搬送通路中を往復させることなく一方向に搬送させる構造であるため、非接触型ＩＣ媒体の詰まりを防止することができる。
【００１０】
請求項２に係る発明によれば、非接触型ＩＣ媒体の自重によって媒体搬送通路中を搬送させるため、搬送用の駆動手段が不要になるため部品点数の削減と構造の簡素化を図ることができる。また、非接触型ＩＣ媒体を径方向に転動させるようにしたことにより装置の幅方向を薄型化を図ることができる。
【発明を実施するための最良の形態】
【００１１】
以下、本発明の実施の形態を図に基づいて説明する。図１は本発明に係る非接触型ＩＣ媒体処理装置を示し、同図（Ａ）は概略の構成を示す側面図、同図（Ｂ）は正面図、図２は同じくブロック図、図３ないし図６は同じく処理動作を説明するためのフローチャートであって、図３は媒体の残高情報を移行させる処理動作を示し、図４は消費処理の発生にともない媒体に対する消費処理動作を示し、図５は媒体の発行／返却処理動作を示し、図６は媒体への入金処理動作を示す。
【００１２】
図１に全体を符号１で示す遊技台用台間機は、紙幣挿入口２から挿入された紙幣の真贋を識別し、真札の場合には収納する紙幣識別機３と、本発明に係る非接触型ＩＣ媒体処理装置（以下、媒体処理装置という）４とが備えられている。媒体処理装置４は、円板状（コイン状）に形成された非接触型ＩＣ媒体（以下、媒体という）Ｚを投入する媒体投入口１１と、この媒体投入口１１から投入された媒体Ｚが搬送される媒体搬送通路１２と、この媒体搬送通路１２の終端に設けられ媒体Ｚを返却する第１の媒体返却口１３と、媒体搬送通路１２の媒体投入口１１の近傍に設けられ媒体Ｚの情報を処理する第１の情報処理部１４と、媒体搬送通路１２の第１の媒体返却口１３の近傍に設けられ媒体Ｚの情報を処理する第２の情報処理部１５とによって概略構成されている。第１および第２の情報処理部１４，１５には、媒体Ｚに内蔵されたアンテナ部との間を無線を介して通信を行うアンテナ基板（いずれも図示せず）が設けられており、第１および第２の情報処理部１４，１５は、媒体Ｚに記録されている金額情報の読取りまたは書込みといった情報処理を行う。
【００１３】
媒体搬送通路１２は、媒体投入口１１に連通し図中左下がりに傾斜した第１の傾斜通路１６と、この第１の傾斜通路１６と連通し上下方向に延在する鉛直通路１７と、この鉛直通路１７と連通して図中右下がりに傾斜し第１の媒体返却口１３に連通する第２の傾斜通路１８とによって形成されている。２１は媒体投入口１１の近傍に設けられピン状に形成された第１のシャッタであって、後述するシャッタ制御部３５によって図示を省略したソレノイドが作動することにより第１の傾斜通路１６内に対して進退し、第１の傾斜通路１６内に進出することにより、媒体投入口１１から第１の傾斜通路１６内への媒体Ｚの投入を規制する。
【００１４】
第１の傾斜通路１６の略中央部に対応して第１の情報処理部１４が設けられ、第２の傾斜通路１８の略中央部に対応して第２の情報処理部１５が設けられている。第１の傾斜通路１６の第１の情報処理部１４が設けられた部位の底面に開口が設けられており、この開口に連通し図中右下がりに傾斜した媒体返却通路１９が備えられ、この媒体返却通路１９の右端には第２の媒体返却口２０が設けられている。２２は第１の傾斜通路１６と媒体返却通路１９との間に設けられた第２のシャッタであって、シャッタ制御部３５によって図示を省略したソレノイドが作動することにより第１の傾斜通路１６内を進退し進出することにより、媒体Ｚの第１の傾斜通路１６から返却通路１９への転動を規制する。
【００１５】
２３は第１の傾斜通路１６の略中央部に設けられた第３のシャッタであって、シャッタ制御部３５によって図示を省略したソレノイドが作動することにより第１の傾斜通路１６内を進退する。そして、この第３のシャッタ２３が第１の傾斜通路１６内に進出することにより、媒体投入口１１から投入された媒体Ｚの第１の傾斜通路１６内の転動を規制し、転動を規制された媒体Ｚは第１の情報処理部１４と対向する。
【００１６】
２４は第２の傾斜通路１８の左側に設けられた第４のシャッタであって、シャッタ制御部３５によって図示を省略したソレノイドが作動することにより第２の傾斜通路１８内に対して進退し、第２の傾斜通路１８内に進出することにより、第２の傾斜通路１８内における媒体Ｚの転動を規制する。この第４のシャッタ２４によって転動が規制された媒体Ｚは、鉛直通路１７内に径方向に蓄積され、この鉛直通路１７は媒体蓄積部を形成している。２５は第２の傾斜通路１８の中央部に設けられた第５のシャッタであって、シャッタ制御部によって図示を省略したソレノイドが作動することにより第２の傾斜通路１８内を進退する。そして、この第５のシャッタ２５が第２の傾斜通路１８内に進出することにより、第２の傾斜通路１８内における媒体Ｚの転動を規制し、転動を規制された媒体Ｚは第２の情報処理部１５と対向する。
【００１７】
２６は第１の傾斜通路１６の第１のシャッタ２１よりも媒体転動方向下流側に設けられた第１のセンサであって、この第１のセンサ２６によって媒体Ｚが通過したことが検出されると、この検出情報がセンサ制御部３４からＣＰＵ３６に入力される。ＣＰＵ３６では、シャッタ制御部３５によって図示を省略したソレノイドが作動することにより第１のシャッタ２１が第１の傾斜通路１８内に進出し、次の媒体Ｚの第１の傾斜通路１６内への投入が規制される。
【００１８】
２７は第１の傾斜通路１６の左側に設けられた第２のセンサであって、第１の情報処理部１４によって残額が「０」に処理された媒体Ｚが通過したことを検出する。また、この第２のセンサ２７では、媒体搬送路１２内に蓄積された媒体Ｚが満杯状態であることも検出し、満杯状態であることが検出されるとセンサ制御部３４によってＣＰＵ３６に検出信号が入力される。ＣＰＵ３６では表示パネル制御部３２を起動させ図示を省略した表示パネルに満杯であることを表示する。２８は第２の傾斜通路１８の左端側に設けられた第３のセンサであって、第４のシャッタ２４に係止される媒体Ｚが無い状態、すなわち、媒体搬送路１２内に媒体が蓄積されていない状態を検知する。そして、第４のシャッタ２４に媒体Ｚが係止されていない状態がこの第３のセンサ２８によって検出されると、センサ制御部３４によってＣＰＵ３６に検出信号が入力される。ＣＰＵ３６では表示パネル制御部３２を起動させ図示を省略した表示パネルに、第２の情報処理部１５によって情報処理する媒体Ｚが無いことを表示する。２９は第２の傾斜通路１８の中央部に設けられた第４のセンサであって、第５のシャッタ２５によって係止されている媒体Ｚの有無を検出する。
【００１９】
図２において、３１は紙幣識別機制御部であって、紙幣識別機２内に挿入された紙幣を識別した結果、真札でない場合に紙幣挿入口２から返却するように制御し、真札である場合に紙幣の額面情報をＣＰＵ３６に入力し、入力された額面情報はメモリ部３３に記憶される。３２は表示パネル制御部であって、媒体投入口１１から投入された媒体Ｚが保有する金額情報や媒体Ｚの処理状況等をＣＰＵ３６に入力し、入力されたこれらの情報は遊技台用台間機１が取り付けられる遊技台に設けられた表示パネル（いずれも図示せず）に表示される。
【００２０】
メモリ部３３には、媒体投入口１１から投入された媒体Ｚに記録され第１の情報処理部１４によって読み取られた金額情報が格納され、このメモリ部３３に格納された金額情報は、ＣＰＵ３６によって第２の情報処理部１５に移行される。したがって、このメモリ部３３とＣＰＵ３６とが、第１の情報処理部１４によって媒体Ｚを処理した情報を第２の情報処理部１５に移行させる情報移行手段を形成している。また、紙幣識別機３において識別された紙幣の額面情報はメモリ部３３に格納され、ＣＰＵ３６を介して第２の情報処理部１５に入力され、この第２の情報処理部１５によって額面情報が媒体Ｚに書き込まれる。したがって、メモリ部３３とＣＰＵ３６が紙幣識別機３とによって、識別された紙幣の額面情報を第２の情報処理部１５に入力する入金処理手段を形成している。
【００２１】
次に、主に図３ないし図６を用いて媒体の処理動作を説明する。先ず、既に利用者が媒体Ｚを保有しており、この保有している媒体Ｚを使用して遊技台を使用する場合を説明する。図１において、予め第１のシャッタ２１が第１の傾斜通路１６から退避し、第２のシャッタ２２および第３のシャッタ２３が第１の傾斜通路１６内に進出している。また、第４のシャッタ２４が第２の傾斜通路１８内に進出し、鉛直通路１７内に複数枚の媒体Ｚが蓄積されており、第５のシャッタ２５が第２の傾斜通路１８内に進出し、この第５のシャッタ２５に１枚の媒体Ｚ２が係止されている。
【００２２】
この状態で、媒体投入口１１から媒体Ｚ１が投入されると（Ｓ１）、投入された媒体Ｚ１は第１の傾斜通路１６内を径方向に転動し、第１のセンサ２６を通過すると、第１のシャッタ２１が第１の傾斜通路１６内に進出するため、媒体投入口１１から第１の傾斜通路１６内への次の媒体Ｚの投入が規制される。投入された媒体Ｚ１は第２のシャッタ２２と第３のシャッタ２３とによって係止され、この投入された媒体Ｚ１を第１の情報処理部１４によって確認する（Ｓ２）。
【００２３】
Ｓ３において、第１の情報処理部１４による媒体Ｚ１の確認の結果、媒体Ｚ１が第１の情報処理部１４によって処理不能である不良媒体である場合は、第２のシャッタ２２が第１の傾斜通路１６から退避し、媒体Ｚ１は媒体返却通路１９を転動し第２の媒体返却口２０から返却される（Ｓ４）。Ｓ５において、第１のシャッタ２１が第１の傾斜通路１６から退避し、第２のシャッタ２２が第１の傾斜通路１６内に進出し、次の媒体Ｚを媒体投入口１１から投入可能な状態となるとともに、第２のシャッタ２２が第１の傾斜通路１６内に進出する。
【００２４】
一方、Ｓ３において、第１の情報処理部１４による媒体Ｚ１の確認の結果、媒体Ｚ１が正常な媒体であることが確認されると、Ｓ６において媒体Ｚ１の残高の確認を実施する。Ｓ７において残高の確認の結果、残高が無しと判定された場合は第３のシャッタ２３が第１の傾斜通路１６から退避し、媒体Ｚ１は第１の傾斜通路１６内を径方向に転動し鉛直通路１７内に蓄積される（Ｓ８）。Ｓ５において、第１のシャッタ２１が第１の傾斜通路１６から退避し、第２のシャッタ２２が第１の傾斜通路１６内に進出し、次の媒体Ｚを媒体投入口１１から投入可能な状態となる。
【００２５】
Ｓ７において残高の確認の結果、残高が有りと判定されると、Ｓ９においてＺ１の残高情報を第５のシャッタ２５によって係止されている媒体Ｚ２へ移し替える。すなわち、媒体Ｚ１に記録された残高情報が第１の情報処理部１４によって読み取られメモリ部３３に格納され、このメモリ部３３に格納された残高情報は、ＣＰＵ３６によって第２の情報処理部１５に移行される。
【００２６】
Ｓ１０において、移行処理の結果、媒体Ｚ２に残高情報が移行できなかった場合は、表示パネル制御部３２が作動し、図示を省略した表示パネルにエラーが表示される（Ｓ１１）。一方、Ｓ１０において、移行処理の結果、媒体Ｚ２に残高情報が移行できた場合は、表示パネル制御部３２が作動し、図示を省略した表示パネルに正常に移行したことが表示され（Ｓ１１）、Ｓ１２において媒体残高移行処理が終了する。
【００２７】
この状態で、利用者が遊技台を使用することにより媒体Ｚ２の消費処理が発生する場合は（Ｓ１５）、第２の情報処理部１５によって消費に応じた媒体Ｚ２の減額処理を行い（Ｓ１６）、Ｓ１７において消費処理を実施した結果、消費額処理が正常に行われなかった場合は、表示パネル制御部３２が作動し、図示を省略した表示パネルにエラー表示をする（Ｓ１８）。一方、Ｓ１７において消費処理を実施した結果、消費処理が正常に行われた場合は、表示パネル制御部３２が作動し、図示を省略した表示パネルに消費が正常に処理されたことを表示し（Ｓ１９）、Ｓ２０において消費処理が終了する。
【００２８】
ここで、利用者が媒体Ｚ２の残高を増加させるために入金処理を行う場合は、図６において、紙幣挿入口２から紙幣を紙幣識別機３に挿入し、紙幣識別機制御部３１では紙幣の真贋を識別し、真札である場合は入金処理が発生し（Ｓ３５）、紙幣の額面情報が制御部３６に入力され、入力された額面情報はメモリ部３３に格納される。Ｓ３６において、メモリ部３３に記憶された額面情報が第２の情報処理部１５によって、第５のシャッタ２５によって係止されている媒体Ｚ２に書込む入金処理が行われる。
【００２９】
Ｓ３７において入金処理を実施した結果、入金処理が正常に行われなかった場合は、表示パネル制御部３２が作動し、図示を省略した表示パネルにエラー表示をする（Ｓ３８）。一方、Ｓ３７において入金処理を実施した結果、入金処理が正常に行われた場合は、表示パネル制御部３２が作動し、図示を省略した表示パネルに入金処理が正常に行われたことを表示し（Ｓ３９）、Ｓ４０において、入金処理が終了する。
【００３０】
この状態で、再び利用者が遊技台を使用することにより媒体Ｚ２の消費処理が発生する場合は（Ｓ１５）、第２の情報処理部１５によって消費に応じた媒体Ｚ２の消費処理を行い（Ｓ１６）、Ｓ１７において消費処理を実施した結果、消費処理が正常に行われなかった場合は、表示パネル制御部３２が作動し、図示を省略した表示パネルにエラー表示をする（Ｓ１８）。一方、Ｓ１７において消費処理を実施した結果、消費処理が正常に行われた場合は、表示パネル制御部３２が作動し、図示を省略した表示パネルに減額が正常に処理されたことを表示し（Ｓ１９）、Ｓ２０において、消費処理が終了する。
【００３１】
この状態で、利用者が遊技台の使用を終了し、媒体Ｚ２の返却処理が発生（Ｓ２５）する場合は、Ｓ２６において媒体Ｚ２の残額を第２の情報処理部１５によって読取り、その残額に応じて返却処理を決定する（Ｓ２６）。すなわち、第２の情報処理部１５によって読み取った結果、Ｓ２７において残額が無しと判定された場合は、第５のシャッタ２５によって媒体Ｚ２は係止されたままの状態を保ち、媒体返却口１３には返却されない。
【００３２】
一方、第２の情報処理部１５によって読み取った結果、Ｓ２７において残額が有りと判定された場合は、第５のシャッタ２５が第２の傾斜通路１８から退避し、媒体Ｚ２は第２の傾斜通路１８内を径方向に転動し、媒体返却口１３から返却される（Ｓ２８）。Ｓ２９において媒体Ｚ２の返却処理が正常に行われなかった場合は、表示パネル制御部３２が作動し、図示を省略した表示パネルにエラーが表示される（Ｓ３０）。
【００３３】
Ｓ２９において媒体Ｚ２の返却処理が正常に行われた場合は、Ｓ３１において、第５のシャッタ２５を第２の傾斜通路１８内に進出させ、第４のシャッタ２４を第２の傾斜通路１８から退避および進出させる。これにより鉛直通路１７に蓄積されている複数の媒体Ｚの内、最下方の媒体Ｚ３が第２の傾斜通路１８内を径方向に転動し第５のシャッタ２５に係止するとともに、第１のシャッタ２１を第１の傾斜通路１６から退避させ、媒体投入口１１から媒体Ｚの投入を可能にし、返却処理が終了する（Ｓ３２）。
【００３４】
次に、図５および図６を用いて、媒体に入金処理をした上で媒体を発行するための処理動作を説明する。図６において、紙幣挿入口２から紙幣が紙幣識別機３に挿入されると、紙幣識別機制御部３１では紙幣の真贋を識別し、真札である場合は入金処理が発生し（Ｓ３５）、紙幣の額面情報が制御部３６に入力され、入力された額面情報はメモリ部３３に格納される。Ｓ３６において、メモリ部３３に記憶された額面情報が第２の情報処理部１５によって、第５のシャッタ２５によって係止されている媒体Ｚ２に書込む入金処理が行われる。
【００３５】
Ｓ３７において入金処理を実施した結果、入金処理が正常に行われなかった場合は、表示パネル制御部３２が作動し、図示を省略した表示パネルにエラー表示をする（Ｓ３８）。一方、Ｓ３７において入金処理を実施した結果、入金処理が正常に行われた場合は、表示パネル制御部３２が作動し、図示を省略した表示パネルに入金処理が正常に行われたことを表示し（Ｓ３９）、Ｓ４０において、入金処理が終了する。
【００３６】
次いで、Ｓ２５において媒体Ｚ２の発行処理が発生し、Ｓ２６において媒体Ｚ２の残額を第２の情報処理部１５によって読取り、その残額に応じて発行処理を決定する（Ｓ２６）。すなわち、第２の情報処理部１５によって読み取った結果、Ｓ２７において残額が無しと判定された場合は、第５のシャッタ２５によって媒体Ｚ２は係止されたままの状態を保ち、媒体返却口１３から発行されない。
【００３７】
一方、第２の情報処理部１５によって読み取った結果、Ｓ２７において残額が有りと判定された場合は、第５のシャッタ２５が第２の傾斜通路１８から退避し、媒体Ｚ２は第２の傾斜通路１８内を径方向に転動し、媒体返却口１３から発行される（Ｓ２８）。Ｓ２９において媒体Ｚ２の発行処理が正常に行われなかった場合は、表示パネル制御部３２が作動し、図示を省略した表示パネルにエラーが表示される（Ｓ３０）。
【００３８】
Ｓ２９において媒体Ｚ２の発行処理が正常に行われた場合は、Ｓ３１において、第５のシャッタ２５を第２の傾斜通路１８内に進出させ、第４のシャッタ２４を第２の傾斜通路１８から退避および進出させる。これにより鉛直通路１７に蓄積されている複数の媒体Ｚの内、最下方の媒体Ｚ３が第２の傾斜通路１８内を径方向に転動し第５のシャッタ２５に係止するとともに、第１のシャッタ２１を第１の傾斜通路１６から退避させ、媒体投入口１１から媒体Ｚの投入を可能にし、発行処理が終了する（Ｓ３２）。
【００３９】
このように、媒体投入口１１から投入された媒体Ｚ１の情報を、情報移行手段を介して予め媒体搬送通路１２内に蓄積された媒体Ｚ２に移し替えることができるため、媒体搬送通路１２内に蓄積された媒体Ｚを使用して媒体Ｚの発行と消費との両方を行うことができる。また、媒体投入口１１から投入され情報が移し替えられた非接触型ＩＣ媒体Ｚ１を媒体搬送通路１２内に蓄積することができるため、媒体を発行するための専用の蓄積通路を設ける必要がないから装置の小型化と簡素化を図ることができる。また、媒体投入口１１から投入された媒体Ｚを媒体搬送通路１２中を往復させることなく第１の媒体返却口１３へ一方向に搬送させる構造であるため、媒体Ｚの詰まりを防止することができる。また、媒体Ｚの自重によって媒体搬送通路１２中を搬送させるため、搬送用の駆動手段が不要になるため部品点数の削減と構造の簡素化を図ることができる。また、媒体Ｚを径方向に転動させるようにしたことにより装置の幅方向を薄型化を図ることができる。
【００４０】
なお、本実施の形態においては、媒体搬送通路１２内を媒体Ｚの自重によって媒体Ｚを径方向に転動させるようにしたが、媒体投入口１１と第１の媒体返却口１３との間を、モータを駆動源として走行するベルト等の搬送手段によって媒体Ｚを搬送させるようにしてもよく、その場合には媒体Ｚを必ずしも円板状を呈するものではなくカード状を呈するものとしてもよい。
【図面の簡単な説明】
【００４１】
【図１】本発明に係る非接触型ＩＣ媒体処理装置を示し、同図（Ａ）は概略の構成を示す側面図、同図（Ｂ）は正面図である。
【図２】本発明に係る非接触型ＩＣ媒体処理装置のブロック図である。
【図３】本発明に係る非接触型ＩＣ媒体処理装置において、媒体の残高情報を移行させる処理動作を説明するためのフローチャートである。
【図４】本発明に係る非接触型ＩＣ媒体処理装置処理動において、消費処理の発生にともない媒体に対する消費処理動作を説明するためのフローチャートである。
【図５】本発明に係る非接触型ＩＣ媒体処理装置において、媒体の発行／返却処理動作を説明するためのフローチャートである。
【図６】本発明に係る非接触型ＩＣ媒体処理装置において、媒体への入金処理動作を説明するためのフローチャートである。
【符号の説明】
【００４２】
１…遊技台用台間機、３…紙幣識別機、４…非接触型ＩＣ媒体処理装置、１１…媒体投入口、１２…媒体搬送通路、１３…第１の媒体返却口、１４…第１の情報処理部、１５…第２の情報処理部、１６…第１の傾斜通路、１７…鉛直通路（媒体蓄積部）、１８…第２の傾斜通路、１９…媒体返却通路、２０…第２の媒体返却口、２１…第１のシャッタ、２２…第２のシャッタ、２３…第３のシャッタ、２４…第４のシャッタ、２５…第５のシャッタ、２６…第１のセンサ、２７…第２のセンサ、２８…第３のセンサ、２９…第４のセンサ、３１…紙幣識別機制御部、３３…メモリ部、３６…ＣＰＵ、Ｚ，Ｚ１，Ｚ２，Ｚ３…非接触型ＩＣ媒体。
【図１】
2006092453.tif 000003
【図２】
2006092453.tif 000004
【図３】
2006092453.tif 000005
【図４】
2006092453.tif 000006
【図５】
2006092453.tif 000007
【図６】
2006092453.tif 000008